(57)【要約】【課題】クランプ部の固定部分におけるフィラメントの断線に起因して生じうる不都合を抑えることが可能なフィラメントの支持構造および該支持構造を備えたランプを提供する。【解決手段】フィラメントの支持構造は、一対のリード線と、一対のリード線によって支持されたフィラメント２とを有する。フィラメント２は、各々のリード線の先端を折り曲げて形成されたクランプ部１内に狭持されている。クランプ部１内の隙間は、各クランプ部１の、他方のクランプ部１に対向する側である内側よりも、その反対の側である外側の方が狭くなっている。【選択図】図１
2008310973.tif 000002
【特許請求の範囲】
【請求項１】
一対のリード線と、該一対のリード線によって支持されたフィラメントとを有し、前記フィラメントは各々の前記リード線の先端を折り曲げて形成されたクランプ部内に狭持されている、フィラメントの支持構造において、
前記フィラメントを狭持する前記クランプ部内の隙間は、前記各クランプ部の、対を成す他方の前記クランプ部に対向する側である内側よりも、その反対の側である外側の方が狭くなっていることを特徴とするフィラメントの支持構造。
【請求項２】
前記各クランプ部内の前記隙間は、前記内側から前記外側にかけてテーパー状に狭くなっている、請求項１に記載のフィラメントの支持構造。
【請求項３】
前記各リード線は、前記リード線の先端部分の厚さが前記内側から前記外側にかけて次第に厚くなるようにプレス加工されている、請求項２に記載のフィラメントの支持構造。
【請求項４】
前記各クランプ部の内面には粗面処理が施されている、請求項１から３のいずれか１項に記載のフィラメントの支持構造。
【請求項５】
前記各クランプ部の内面は凹凸が形成されている、請求項１から３のいずれか１項に記載のフィラメントの支持構造。
【請求項６】
請求項１から５のいずれか１項に記載のフィラメントの支持構造をガラスバルブ内に備えたランプ。
【発明の詳細な説明】
【技術分野】
【０００１】
本発明は、フィラメントの支持構造および該支持構造を備えたランプに関する。
【背景技術】
【０００２】
図２は、フィラメントの支持構造の背景技術を示す図である。図２（ａ）はその平面図、図２（ｂ）は図２（ａ）中のＡ部拡大図、図２（ｃ）は図２（ｂ）の側面図である。
【０００３】
図２（ａ）に示すように、フィラメントの支持構造は、ステム１０１を通って延びた一対のリード線１０２と、それらのリード線１０２の先端部に支持されたフィラメント１０４とを有している。図２（ｂ）および図２（ｃ）に示すように、リード線１０２の先端部にはリード線１０２の先端を折り返すことでクランプ部１０３が形成されている。フィラメント１０４は、このクランプ部１０３に狭持されることによってリード線１０２の先端部に支持されている。ランプは、このように構成されたフィラメントの支持構造をガラスバルブ（不図示）の中に備えている。
【０００４】
関連するランプ用フィラメントの支持構造は、特許文献１〜３に開示されている。
【特許文献１】特開２００２−１４１０２７号公報
【特許文献２】特開２００４−１０３４３９号公報
【特許文献３】特開平１０−０５０２５３号公報
【発明の開示】
【発明が解決しようとする課題】
【０００５】
図３は、図２に示したクランプ部によってフィラメントを狭持する様子を示す図である。
【０００６】
図３（ａ）に示すようにクランプ部１０３によってフィラメント１０４を挟んだ状態からクランプ部１０３の隙間をさらに狭くしていくと、図３（ｂ）に示すようにクランプ部１０３の隙間がフィラメント１０４の本来の外径よりも小さくなる。これにより、フィラメント１０４がクランプ部１０３によって狭持される。
【０００７】
ここで、図３に示した構成では、クランプ部１０３の隙間がフィラメント１０４の伸延方向に沿って一定になっている。そのため、フィラメント１０４はクランプ部１０３の内側から外側にかけてクランプ部１０３によって潰されて変形した状態になっている。なお、図２（ａ）に示すように、「クランプ部１０３の内側」は対を成す他方のクランプ部１０３に対向する側を意味し、「クランプ部１０３の外側」はその反対の側を意味している。
【０００８】
しかしながら、図３（ｂ）に示すようにクランプ部１０３の隙間がクランプ部１０３の内側と外側とで同じ構成では、上述したようにフィラメント１０４がクランプ部１０３の内側から外側にかけてクランプ部１０３によって潰されて変形した状態になる。そのため、クランプ部１０３によるフィラメント１０４の固定工程中に、クランプ部１０３の内側の部分と外側の部分との両方でフィラメント１０４の断線が発生しうる。
【０００９】
クランプ部１０３の外側でフィラメント１０４が断線した場合には、フィラメント１０４の端部が脱落するものの、フィラメント１０４は依然としてクランプ部１０３に狭持された状態が保たれるので、実用上の問題は生じない。一方、クランプ部１０３の内側でフィラメント１０４が断線した場合には、フィラメント１０４がクランプ部１０３から脱落してしまうため、完成品のランプが不点灯になる不具合を生じさせてしまう。
【００１０】
フィラメント１０４の断線を防ぐために、フィラメント１０４を固定するときのクランプ部１０３の隙間を大きくすることが考えられる。しかしながら、クランプ部１０３の隙間を大きくすると、フィラメント１０４がクランプ部１０３から抜け落ちたり、クランプ部１０３、すなわちリード線１０２とフィラメント１０４との接触不良が発生する可能性が高くなるおそれがある。そのため、フィラメント１０４の断線を防ぐためにクランプ部１０３の隙間を大きくすることは、有効な方策とはいえない。
【００１１】
そこで本発明は、クランプ部の固定部分におけるフィラメントの断線に起因して生じうる不都合を抑えることが可能なフィラメントの支持構造および該支持構造を備えたランプを提供することを目的とする。
【課題を解決するための手段】
【００１２】
上記目的を達成するため、本発明のフィラメントの支持構造は、一対のリード線と、該一対のリード線によって支持されたフィラメントとを有し、前記フィラメントは各々の前記リード線の先端を折り曲げて形成されたクランプ部内に狭持されている、フィラメントの支持構造において、前記フィラメントを狭持する前記クランプ部内の隙間は、前記各クランプ部の、対を成す他方の前記クランプ部に対向する側である内側よりも、その反対の側である外側の方が狭くなっていることを特徴とする。
【発明の効果】
【００１３】
本発明によれば、クランプ部の固定部分におけるフィラメントの断線に起因して生じうる不都合を抑えることできる。
【発明を実施するための最良の形態】
【００１４】
次に、本発明の実施例について図面を参照して説明する。
【００１５】
図１は、本発明の一実施例に係るフィラメントの支持構造におけるクランプ部によってフィラメントを狭持する様子を示す図である。なお、本実施例のフィラメントの支持構造の全体的な構成は図２に示した構成と同様であるので、以下では図２に示した構成と異なる点を主に説明する。
【００１６】
図１に示すように、本実施例におけるクランプ部１も一対のリード線（不図示）の各々の先端を折り曲げて形成されており、フィラメント２は各クランプ部１内に狭持されている。本実施例におけるクランプ部１は、クランプ部１の内側の隙間よりも外側の隙間の方が小さくなっている。より詳しくは、クランプ部１の内面が、クランプ部１の内側から外側にかけてテーパー状に狭くなっている。このような形状のクランプ部１は、たとえば、リード線（不図示）の先端部分の厚さが内側から外側にかけて次第に厚くなるようにリード線をプレス加工することによって形成することができる。
【００１７】
図１（ａ）に示すようにクランプ部１によってフィラメント２を挟んだ状態から、クランプ部１の隙間をさらに狭くしてフィラメント２を締め付けていくと、図１（ｂ）に示すようにフィラメント２がクランプ部１によって狭持される。本実施例の構成ではクランプ部１の隙間が内側から外側にかけて狭くなっているので、フィラメント２はクランプ部１の内側から外側にかけて次第に潰されて変形した状態になる。換言すれば、フィラメント２は、クランプ部１の内側の部分ではほとんど変形せず、クランプ部１の外側の部分では大きく変形した状態になる。そのため、クランプ部１の固定によるフィラメント２の断線はクランプ部１の内側ではほとんど生じることはなく、断線が生じるとすればクランプ部１の外側に集中する。
【００１８】
上述した背景技術ではクランプ部の隙間がクランプ部の内側から外側にかけて一定であったため、クランプ部の内側と外側との両方でフィラメントの断線が生じる可能性が高かった。これに対し、本実施例ではクランプ部の内側でフィラメントの断線が生じる可能性はほとんどないため、フィラメントの断線が生じる可能性をより低くすることができる。
【００１９】
また、本実施例の構成では、仮にクランプ部１の外側の部分でフィラメント２の断線が生じたとしても、フィラメント２はクランプ部１によって狭持された状態が維持されるので、完成品のランプが不点灯になるといった実用上の不都合が生じることはない。
【００２０】
なお、クランプ部１によるフィラメント２の把持力を高めるために、クランプ部１の内面に粗面処理を施したり、凹凸を形成してもよい。
【００２１】
本実施例のランプは、上述したランプ用フィラメントの支持構造をガラスバルブ（不図示）内に備えている。ガラスバルブの形状は、電球形、円筒形、角筒形、卵形、スパイラル管形、ツイン管形、Ｕ字管形などの形状であってもよい。また、本実施例のフィラメントの支持構造は、蛍光ランプや白熱ランプに適用することができる。
【図面の簡単な説明】
【００２２】
【図１】本発明の一実施例に係るフィラメントの支持構造におけるクランプ部によってフィラメントを狭持する様子を示す図である。
【図２】フィラメントの支持構造の背景技術を示す図である。
【図３】図２に示したクランプ部によってフィラメントを狭持する様子を示す図である。
【符号の説明】
【００２３】
１，１０３  クランプ部
２，１０４  フィラメント
１０１  ステム
１０２  リード線
【図１】
2008310973.tif 000003
【図２】
2008310973.tif 000004
【図３】
2008310973.tif 000005